(57)【要約】【課  題】窓ガラスを破壊して室内等に侵入する行為を確実に検出することができ、かつ、誤作動が少なく長期間の使用においても特性が劣化しにくい防犯ガラスを提供する。【解決手段】少なくとも二枚のガラス、ならびに当該二枚のガラスの間に少なくとも一枚の中間膜を含む中間膜部および当該中間膜を含まない非中間膜部を有する合わせガラスであって、当該ガラスのうち少なくとも一枚は熱処理強化ガラスであり、当該熱処理強化ガラスのうち少なくとも一枚の非中間膜部に接する側のガラス表面に導電性部分が形成されており、当該導電性部分に電流通電端子と接続された接続部分が設けられており、当該導電性部分に電流を通電するための端子用穴が当該ガラスのうち少なくとも一枚の非中間膜部に接する部分に形成されていることを特徴とする防犯ガラス。【選択図】図１
2006160598.tif 000002
【特許請求の範囲】
【請求項１】
少なくとも二枚のガラス、ならびに当該二枚のガラスの間に少なくとも一枚の中間膜を含む中間膜部および当該中間膜を含まない非中間膜部を有する合わせガラスであって、当該ガラスのうち少なくとも一枚は熱処理強化ガラスであり、当該熱処理強化ガラスのうち少なくとも一枚の非中間膜部に接する側のガラス表面に導電性部分が形成されており、当該導電性部分に電流通電端子と接続された接続部分が設けられており、当該導電性部分に電流を通電するための端子用穴が当該ガラスのうち少なくとも一枚の非中間膜部に接する部分に形成されていることを特徴とする防犯ガラス。
【請求項２】
非中間膜部が空間部である請求項１記載の防犯ガラス。
【請求項３】
非中間膜部がスペーサーである請求項１記載の防犯ガラス。
【請求項４】
導電性部分が、ガラスの表面に形成された導電パターンである請求項１に記載の防犯ガラス。
【請求項５】
導電性部分が、ガラスの表面に形成された導電性薄膜である請求項１に記載の防犯ガラス。
【請求項６】
導電性薄膜が、絶縁部分によって検知領域と非検知領域とに区切られており、検知領域は非中間膜部のみにあることを特徴とする請求項５に記載の防犯ガラス。
【請求項７】
端子用穴に気密シール処理が施されている請求項１〜６のいずれかに記載の防犯ガラス。
【請求項８】
電流通電端子に端子ボックスが接続されている請求項１〜７のいずれかに記載の防犯ガラス。
【請求項９】
端子ボックスは合わせガラスの表面に固着されていることを特徴とする諸求項８に記載の防犯ガラス。
【請求項１０】
端子ボックス内部に、電流通電端子間の直流抵抗又は交流インピーダンスの変化を検知する回路を備えていることを特徴とする請求項８または９のいずれかに記載の防犯ガラス。
【請求項１１】
端子ボックス内に、前記直流抵抗又は前記交流インピーダンスの値が設定された範囲を超えた場合に有線又は無線通信によって外部に信号を発信する回路を備えていることを特徴とする請求項１０に記載の防犯ガラス。
【請求項１２】
請求項１〜１１のいずれかに記載の防犯ガラスを用いた複層ガラス。
【発明の詳細な説明】
【技術分野】
【０００１】
本発明は、窓ガラスの破壊を検出する機能を有する防犯ガラスに関する。特に、所定の部位に導電性を有する部分を有し、ガラスが破損したときに当該導電性を有する部分に生じる電気抵抗値やインピーダンス値の異常を検出して信号を発する機構を有する防犯ガラスに関する。
【背景技術】
【０００２】
家屋の窓ガラスを破壊して屋内に侵入する行為や店頭ショーケースのガラス部分を破壊して内部の物品を盗む行為等を防ぐことを目的として、各種の防犯ガラスが提案されている。それらの防犯ガラスは、強固で破壊しにくいことによるいわば消極的な防犯ガラスと、破壊を検知して警報信号を発する機構を備えたいわば積極的な防犯ガラスとに分けることができる。
【０００３】
前者の例としては、強固な樹脂フィルムをガラス表面に貼付したガラス（例えば特許文献１に開示されているもの）や、二枚以上のガラスの間に樹脂からなる中間膜を挟んだ構造を有する一般の合わせガラスを改良して破壊しにくくしたもの（例えば特許文献２に開示されているもの）がある。
【０００４】
後者の例としては、ガラスの表面に形成された加熱用ヒーターを兼ねる導電性の配線がガラスの破壊により断線することを抵抗値の変化として検出するもの（例えば特許文献３に開示されているもの）がある。また同様に、導電部分の断線を検出するものではあるが、サッシ窓の施錠部分（いわゆるクレッセント部分）近傍のみを破壊する行為について誤作動少なく対応できるように、当該施錠部分近傍の導電性薄膜又は導電性配線の破壊を検知するよう構成したもの（例えば特許文献４に開示されているもの）がある。導電性の変化を検出する手法の他に、静電容量の変化を検出するものや破壊時に発生する振動、音響を検出するもの、反射光の強度を常時監視してその強度変化を検出するものなど種々の検出方法によるものも提案されているが詳細は省略する。
【０００５】
前者の手法と後者の手法を組み合わせて、破壊しにくくかつ破壊されたときにそれを検出する機構を備えた防犯ガラスも考えられるところである。例えば、合わせガラスの中間膜又は中間膜に接するガラス表面に導電性の配線や薄膜を形成するようなものである。発明者らは、このような構造を有する防犯ガラスの先行技術例を見出すことはできなかったが、合わせガラスの構造の内部に導電性部分を設けた構造を利用する発明として、自動車のワイパーが静止中に凍結することを防ぐための加熱用配線をその内部に設けた自動車用フロントガラス（特許文献５に開示されているもの）や、合わせガラスの中間膜部分が密閉されているために浴室等の湿度が高い場所で使用しても加熱部分の経時的特性劣化が少ない防曇ミラー（特許文献６に開示されているもの）が提案されていることを確認した。
【特許文献１】特開２００２−１８００１９公報  「接着用フィルム及びフィルム強化ガラス」
【特許文献２】特開２００３−１９２４０２公報  「耐衝撃性および耐剥離性に優れた合わせガラス」
【特許文献３】特開２００１−１２６１５２公報  「防犯ガラス」
【特許文献４】特開２００３−１２８４４３公報  「防犯ガラス構造」
【特許文献５】特開平１０−２９５０４公報  「電気的に加熱可能な風防」
【特許文献６】特開２００３−３２１２５８公報  「ヒーター付き合わせガラス及びその製造方法」
【発明の開示】
【発明が解決しようとする課題】
【０００６】
前述した各種の防犯ガラスは、以下に述べる点において改良の余地があると考えられる。
【０００７】
フィルム貼付ガラスや合わせガラスによる消極的防犯ガラスを用いた場合、ガラスの破壊に要する時間は長くなるが警報機機構を有しない限り実用的な防犯の用には適さない。なお、各種センサ機構を有する積極的防犯ガラスにおいても、ガラスの破壊が容易であれば破壊に要する時間は短いものとなるから、実用的には合わせガラス等の併用が必要である。
【０００８】
積極的防犯ガラスを使用した場合においても、ガラスの破壊を検出する方法に問題がありうる。ガラスの破壊以外に起因する振動や騒音等の日常環境で存在する雑音を検出しないことが望ましく、振動センサや音響解析の手法は適用に高度の技術を要する。すなわち、機器の高価格化やメンテナンスの点で問題を生じやすいことになる。
【０００９】
また、侵入行為ではない日常的な事故によるガラスの破損については、侵入行為と判断しないようにすることが警備を行う者にとって実用上好ましく、前述した特許文献４に記載されているように所定の局所的な破損のみを検出するようにできることが実用上望ましいことはいうまでもない。
【００１０】
導電性の配線等をガラス表面に設けてガラスの破壊に伴う配線等の断線や抵抗異常を電気的に検出する方法は、比較的簡単な機構であってかつガラスの破壊以外に起因する誤報が少ない上に、サッシ窓の施錠部分近傍のみに形成できるという点で好適なセンシング手法と考えられる。
【００１１】
しかし、大気中の水分その他の影響により配線等が経時劣化することや、日常使用においてガラス表面に物が当たることや窓開閉時の振動による導電性の配線等の剥離や破断が配線等の抵抗値を増加させる可能性があり、長期間にわたって無メンテナンスで使用するためにはまだ改良の余地があるといわざるを得ない。なお、合わせガラスの構造を有する場合においても、検出部分からの信号線を合わせガラスのエッジから取り出す限り、ガラスをサッシに組み込む際の配線損傷の可能性や、水分の影響、開閉動作時の振動その他の影響を避けることはできない。
【００１２】
本発明は、前述した問題点を解決し、低価格で、長期間にわたって特性が劣化することなく、雑音を検出しにくい機構を有する防犯ガラスを提供することを目的とする。
【課題を解決するための手段】
【００１３】
本発明者らは、上記目的を達成すべく鋭意検討した結果、少なくとも二枚のガラス、ならびに当該二枚のガラスの間に少なくとも一枚の中間膜を含む中間膜部および当該中間膜を含まない非中間膜部を有する合わせガラスであって、当該ガラスのうち少なくとも一枚は熱処理強化ガラスであり、当該熱処理強化ガラスのうち少なくとも一枚の非中間膜部に接する側のガラス表面に導電性部分が形成されており、当該導電性部分に電流通電端子と接続された接続部分が設けられて、中間膜による拘束がなく、熱処理強化ガラスが破損する際に確実に導電性部分の導通が失われて電流通電端子間のインピーダンスが変化しやすい構造とされており、当該導電性部分に電流を通電するための端子用穴が当該ガラスのうち少なくとも一枚の非中間膜部に接する部分に形成されている防犯ガラスが、低価格で、サッシ窓の施錠部分近傍の破壊を誤作動少なく長期にわたって安定に検出することが可能となり、雑音を検出しにくい機構を有することなどを種々知見し、上記した問題点を一挙に解決可能にすることを見出した。また、上記防犯ガラスにおいて、導電部材として導電性薄膜を使用している場合に電流通電端子周辺だけのインピーダンス変化を検知するために絶縁部分を設けている構造を有する防犯ガラスが、より優れた検知性能を示すことを見出した。本発明者らは、上記した種々の知見を得た後、さらに検討を重ねて本発明を完成させた。
【００１４】
すなわち、本発明は、
［１］  少なくとも二枚のガラス、ならびに当該二枚のガラスの間に少なくとも一枚の中間膜を含む中間膜部および当該中間膜を含まない非中間膜部を有する合わせガラスであって、当該ガラスのうち少なくとも一枚は熱処理強化ガラスであり、当該熱処理強化ガラスのうち少なくとも一枚の非中間膜部に接する側のガラス表面に導電性部分が形成されており、当該導電性部分に電流通電端子と接続された接続部分が設けられており、当該導電性部分に電流を通電するための端子用穴が当該ガラスのうち少なくとも一枚の非中間膜部に接する部分に形成されていることを特徴とする防犯ガラス、
［２］  非中間膜部が空間部である前記［１］記載の防犯ガラス、
［３］  非中間膜部がスペーサーである前記［１］記載の防犯ガラス、
［４］  導電性部分が、ガラスの表面に形成された導電パターンである前記［１］に記載の防犯ガラス、
［５］  導電性部分が、ガラスの表面に形成された導電性薄膜である前記［１］に記載の防犯ガラス、
［６］  導電性薄膜が、絶縁部分によって検知領域と非検知領域とに区切られており、検知領域は非中間膜部のみにあることを特徴とする前記［５］に記載の防犯ガラス、
［７］  端子用穴に気密シール処理が施されている前記［１］〜［６］のいずれかに記載の防犯ガラス、
［８］  電流通電端子に端子ボックスが接続されている前記［１］〜［７］のいずれかに記載の防犯ガラス、
［９］  端子ボックスは合わせガラスの表面に固着されていることを特徴とする前記［８］に記載の防犯ガラス、
［１０］  端子ボックス内部に、電流通電端子間の直流抵抗又は交流インピーダンスの変化を検知する回路を備えていることを特徴とする前記［８］または［９］のいずれかに記載の防犯ガラス、
［１１］  端子ボックス内に、前記直流抵抗又は前記交流インピーダンスの値が設定された範囲を超えた場合に有線又は無線通信によって外部に信号を発信する回路を備えていることを特徴とする前記［１０］に記載の防犯ガラス、および
［１２］  前記［１］〜［１１］のいずれかに記載の防犯ガラスを用いた複層ガラス、
に関する。
【発明の効果】
【００１５】
本発明の防犯ガラスは、長期間にわたって特性が劣化することなく、かつ振動や雑音を検出しにくいという特徴を有する。また、本発明の防犯ガラスは工業的有利にかつ安価に製造できるという特徴を有する。
【発明を実施するための最良の形態】
【００１６】
以下では図１〜１２を参照して、本発明の好ましい実施の形態について説明する。しかしながら、本発明の技術的範囲はこれらの例に限られるものではない。
【００１７】
本発明の好ましい形態の防犯ガラスに用いられる各部材について、説明する。室外側に使用されるべきガラス１および室内側に使用されるべきガラス２の材質としては、導電性部分３をその表面に設けるガラスが熱処理強化ガラスであることが必要であるが、その他の点については特に限定されない。また、熱処理強化ガラス以外のガラスとしては、一般のアルカリシリケートガラスが好適に用いられ、特にソーダライムガラス組成のフロート板ガラスを用いることがコストその他の点から最も好適であるが、窓ガラスとして使用できるガラスであればよい。例えば図１および４に示す本発明の防犯ガラスの例においては、導電性部分が表面に形成されるガラス２には熱処理強化ガラスが用いられるが、ガラス１としてはフロート板ガラス、熱処理強化ガラス、防火ガラスまたはワイヤレス防火ガラス等が好ましく用いられる。
【００１８】
熱処理強化ガラスは、通常の使用環境においては一般のフロート板ガラスの約二倍の曲げ強度を示し破損しにくいが、傷が入った場合には内部残留応力の作用によって強化ガラス全体が細かい欠片になりかつ個々の欠片は丸みを帯びた形状になるため、強化ガラス表面に形成されていた導電性部分は破断され、さらに、中間膜やサッシなどによる拘束がない部分に端子を設けることおよび所望により絶縁部分１７を設けて検知領域と非検知領域に区切ることで端子間の導通が確実に失われ、また、それを確実に検出するようにできる。絶縁部分１７を非中間膜部５のみに設けて、導電性部分３の検知領域と非検知領域とを区切ることにより、防犯ガラスの検知精度などを向上させることができ、防犯効果をより大きくさせることができる。絶縁部分１７の幅、形状および材質などは、本発明の目的を阻害しない限り特に限定されないが、例えば、導電性部分の一部を機械的に剥離除去する方法や、エッチング溶液を用いて導電性部分の一部を溶解除去する方法、また導電性部分を構成する材料と反応する物質をその表面に接触させて全体または局所的に加熱することによって当該部分を絶縁体とする方法が適用できる。
【００１９】
導電性部分３は、電流が通電可能であれば特に限定されず、導電性薄膜１３であってもよいし、導電パターンであってもよい。導電性部分３が導電性薄膜１３である場合には、導電性薄膜１３がガラス２（熱処理強化ガラス）表面に形成され、導電性部分３が導電パターンである場合には、導電パターンがガラス１（熱処理強化ガラス）表面に形成されるのが好ましい。上記導電性薄膜は、本発明の目的を阻害しない限り、その膜厚などは特に限定されない。上記導電パターンは、本発明の目的を阻害しない限り、特に限定されず、導電性配線で形成されてもよいし、銀ペースト等の導電ペーストで形成されてもよい。導電性部分３の配置・形状・寸法等は特に限定されないが、施錠部分近傍の合わせガラスに貫通穴を形成する侵入方法への対策を考慮して適宜に設定されるのが好ましい。導電性部分３が、導電パターンまたは導電性薄膜であることにより、通常の合わせガラスと同様の製造方法を適用して容易に本発明の防犯ガラスを製造することが可能となる。
【００２０】
導電性部分３が、熱処理強化ガラスの表面に形成された導電パターンであることにより、前述のように導電パターンは熱処理強化ガラスの破壊に伴って導通を失うので、確実に破壊を検出でき、かつ、通常の合わせガラスと同じ製造方法により防犯ガラスを製造することができる。
【００２１】
導電性部分３が、熱処理強化ガラスの表面に形成された導電性薄膜であることにより、導電性薄膜は熱処理強化ガラスの破壊に伴って導通を失うので、確実に破壊を検出でき、かつ、熱処理強化ガラスの中間膜に接する部分は平坦な凹凸の小さい表面になるので、通常の合わせガラスと同じ製造方法により防犯ガラスを製造することができる。
【００２２】
導電性部分３は、非中間膜部５に接するガラス１および／またはガラス２のいずれかの熱処理強化ガラス表面に形成されていればよい。
【００２３】
中間膜部４の中間膜は、本発明の目的を阻害しない限り、特に限定されず、公知の中間膜であってよい。中間膜としては、例えば一般の合わせガラスと同様にコストと作業性の優れるＰＶＢ樹脂やＥＶＡ樹脂からなる中間膜を好適に使用することができるが、破壊しにくいガラスとする目的でより厚みの大きい中間膜や堅牢なポリカーボネート樹脂の薄板を用いることも可能である。
【００２４】
非中間膜部５は、上記中間膜で構成されない限り、特に限定されず、空間部であってもよいし、スペーサーであってもよい。前記スペーサーは樹脂シートからなる樹脂シートスペーサーであるのが好ましい。樹脂シートスペーサーとしては、例えばポリカーボネート板などが挙げられる。
非中間膜部５を設置する領域は、特に限定されないが、例えば図１および４に示すように、合わせガラスの外周縁近傍の部分（図１および４中、ＤＥＦで囲まれる領域）とするのが好ましい。このようにすることにより、窓を通して見える景観を損なうことを回避できる。
【００２５】
電流通電端子６は、金属その他の導体であれば特に限定されることなく用いることができるが、耐熱性や耐腐食性、コストを考慮するとアルミニウム又はその合金、銅ないしはその合金が好適に用いられる。また、電流通電端子６は、ハンダなどを用いる結線によって形成される端子であってよい。電流通電端子６の寸法・形状・接続位置等は特に限定されないが、施錠部分近傍の合わせガラスに貫通穴を形成する侵入方法への対策を考慮して適宜に設定されるのが好ましい。
【００２６】
接続部分７は、導電性部分３と電流通電端子６とを接続できさえすれば特に限定されず、ハンダを用いる方法、導電性ペースト（例えば銀ペースト等）を塗布する方法、金属（例えばインジウム等）を圧着する方法、金属膜を蒸着する方法等の種々の方法により好適に形成され得る。接続部分７に電流通電端子６が接続されていることにより、導電性部分３の直流抵抗又は交流インピーダンスを測定するための回路を容易に取り付けることが可能となる。
【００２７】
端子用穴８は、ガラスの非中間膜部５に接する部分に設けられている穴であって、導電性部分３に電流を通電するための端子を設置することを可能にする穴であれば、穴の形状や数などは特に限定されない。通常、外部から電流通電端子６に電流を通電することを考慮して適宜に設けられる。端子用穴８を設けることにより、ガラスのエッジ（木口）に端子や配線が配置されることを避けることができ、ガラスをサッシに組み込む際の端子や配線の損傷を抑制することができる。
【００２８】
本発明においては、端子用穴８に気密シール処理が施されているのが好ましい。気密シール処理が施されていることにより、導電性部分３が使用環境からの影響（大気中の水分による配線や端子接続部の腐食劣化等）を受けることがなくなり、長期間に渡ってより安定に使用することが可能となる。
【００２９】
端子ボックス９は、電流通電端子６と接続可能であるが、その内部に電流通電端子間の直流抵抗又は交流インピーダンスの変化を検知する回路を備えており、さらに、直流抵抗又は交流インピーダンスの値が設定された範囲を超えた場合に有線又は無線通信によって外部に信号を発信する回路を備えているのが好ましい。端子ボックス９内部に、電流通電端子６間の直流抵抗又は交流インピーダンスの変化を検知する回路を備えていることにより、防犯ガラスを実用に供する際に使用者が用意するべき回路を少なくすることができるので、防犯ガラスの施工が容易になる。端子ボックス９内に、前記直流抵抗又は前記交流インピーダンスの値が設定された範囲を超えた場合に有線又は無線通信によって外部に信号を発信する回路を備えることにより、本発明の防犯ガラスを施工した場合に使用者が用意するべき回路は信号受信及び必要な応答をするためのもののみで済むため、施工コストの低減や導入容易性の点で有利である。
【００３０】
また、端子ボックス９は、合わせガラスの表面に固着するのが好ましく、特に合わせガラスの室内側表面に固着するのが好ましい。端子ボックス９が合わせガラスの表面に固着されていることにより、電流通電端子６を保護すること及び回路を接続する部分をより堅牢にできるので、ガラスの破壊を検知する機能の信頼性が向上しうる。
【００３１】
封着部１０は、シール材などで封着された部分を示す。シール材などは特に限定されず、公知のものをシール材として適宜に用いることができる。
【００３２】
以下、図１および４を用いて本発明の好ましい形態をより具体的に説明する。
図１および４に、本発明の好ましい形態の一つである防犯ガラスの模式図を示す。また、図１におけるＸ−Ｘ断面の模式図を図２に示し、図１におけるＹ−Ｙ断面の模式図を図３に示す。さらに、図４におけるＸ−Ｘ断面の模式図を図５に示し、図４におけるＹ−Ｙ断面の模式図を図６に示す。
【００３３】
本発明の好ましい形態の一つである図１および４に示される防犯ガラスはいずれも、室外側に施工されるべきガラス１及び室内側に施行されるべきガラス２と、それぞれのガラスに貼付された中間膜から構成される中間膜部４と、前記中間膜を含まない非中間膜部５と、ガラス２の表面に形成されている導電性部分３と端子ボックス９とを主要な部材としている。ここで、図１では非中間膜部５が空間部となっており、図４では非中間膜部５が樹脂シートスペーサー１５となっている。なお、図１および４において、ガラス２は熱処理強化ガラスである。
【００３４】
導電性部分３は、ガラス２の中間膜部４および非中間膜部５に接する側のガラス表面に形成されているが、これは、防犯ガラスを破壊して内部の施錠を開放するような侵入行為が行われた場合に、導電性部分３が破壊されるようにするためである。
図１〜６中のＧの位置の導電性部分３に接続部分７が設けられており、この接続部分７は、端子用穴８にまで伸びており、電流通電端子６と接続されている。端子用穴８は、電流通電端子６が外部に露出することを可能としており、外部から電流通電端子６を介して導電性部分３に電流を通電することを可能としている。また、図１および４に示すように、非中間膜部５には絶縁部分１７が設けられて、検知領域と非検知領域とが区切られている。このようにすることにより、電流通電端子６が設けられた部分の周辺の導電性薄膜を選択的に絶縁保護することができ、検知の際に、絶縁保護されてない非検知領域の導電性薄膜によるインピーダンス変化の影響を受けないようにすることができ、絶縁保護された導電性薄膜の破壊時における防犯ガラスの検知精度を飛躍的に向上させることができる。
【００３５】
端子ボックス９は、図１〜６に示される矢印の向きに従い、電流通電端子６と接続され、ガラス２の表面に固着される。この端子ボックス９は、その内部に電流通電端子６間の直流抵抗又は交流インピーダンスの変化を検知する回路を備えており、さらに、直流抵抗又は交流インピーダンスの値が設定された範囲を超えた場合に有線又は無線通信によって外部に信号を発信する回路を備えている。これにより、防犯ガラスを破壊して内部の施錠を開放するような侵入行為が行われた場合に、導電性部分３が破壊されることで、直流抵抗又は交流インピーダンスの値が設定された範囲を超え、有線又は無線通信によって外部に信号を発信することにより、侵入を警報することが可能となる。
【００３６】
上記防犯ガラスの製造方法は、一般の合わせガラスと同様の製造方法を適用することが最も好適である。以下、図１で示される防犯ガラスの製造を例に説明する。図１に示す構造から容易に理解できるように、常法に従い絶縁部分１７をガラス２に設け、ガラス１および２に図１中のＡＢＣＦＥの形状の中間膜を貼り付けた後、接続部分７と端子用穴８の位置を合わせた上で、ガラス１、２を重ねて、一般の合わせガラスと同様にオートクレーブ処理して接着することにより、合わせガラスの形状にする。その後、接続部分７を介して導電性部分３と電流通電端子６とを接続し、一般の気密シール材（例えばシリコーン樹脂等）を端子用穴８に充填し、固化させる。そして、電流通電端子６と端子ボックス９をハンダ付けその他の方法で固定する。または、先に接続部分７でもって電流通電端子６を接続し、その後同様の方法で合わせガラスの形状にしてもよい。また、非中間膜部５が空間部であり、合わせガラスの外周縁近傍にある場合には、導電性部分３が外部の影響を受けるのを防ぐため、シール材などによって封着して封着部１０を設けるのが好ましい。その後は、電流通電端子６と端子ボックス９をハンダ付けその他の方法で固定する。さらには、接着剤等により端子ボックス９をガラス２の表面に接着固定すれば、より好適である。
【００３７】
また、非中間膜部の形成方法としては、図１０のくりぬき部１９のように、あらかじめ検知部分に対応する部分をくりぬいた形状の中間膜を用意して、ついで該中間膜を用いて合わせガラスを製造することにより、検知部分に対応する部分に非中間膜部を形成することができる。この場合には、ガラスと中間膜を重ねる際に位置合わせを行う必要があるが、中間膜の一部がそのまま封着部を形成することになり、オートクレーブ処理後に合わせガラスの外周縁部分をシールする必要がなくなるので好適である。また、中間膜を複数枚用いる場合には、必ずしも複数枚全ての中間膜をくりぬく必要はなく、少なくとも検知部分に対応する１枚の中間膜を一部くりぬけばよい（図１１および図１２参照）。
【００３８】
図４で示される防犯ガラスの製造については、図１中のＡＥＣＦＥの形状の中間膜を貼り付けたガラス１，９に代えて、図４中のＡＢＣＦＥ形状の中間膜及びＤＥＦ形状の樹脂シートスペーサーを貼り付けたガラス１，２を用いること以外は、上記と同様である。図１で示す防犯ガラスのように、非中間膜部を空間部とすることにより、導電性部分の熱処理強化ガラスは中間膜により拘束されることがないので、中間膜が存在する場合よりも熱処理強化ガラス破損時における破断面間隔が大きくなる。また、図４で示す防犯ガラスのように非中間膜部をスペーサーとした場合でも、当該スペーサーは中間膜のように熱処理強化ガラスに圧着されていないので、熱処理強化ガラスをほとんど拘束しない。よってスペーサーを用いた場合も、非中間膜部を空間部とした場合と同様に、熱処理強化ガラス破損時における破断面間隔が大きくなる。
【００３９】
また、本発明の導電性部分３が導電パターンである形態の防犯ガラスも好適であるので、図７〜９を用いて以下に説明する。
図７に、本発明の好ましい形態の一つである防犯ガラスの仮想的分解図を示す。また、図７におけるＸ−Ｘ断面の模式図を図８に示し、図７におけるＹ−Ｙ断面の模式図を図９に示す。
【００４０】
本発明の好ましい形態の一つである図７に示される防犯ガラスは、室外側に施工されるべきガラス１及び室内側に施行されるべきガラス２と、それぞれのガラスに貼付された中間膜から構成される中間膜部４と、前記中間膜を含まない非中間膜部５と、ガラス１の表面に形成されている導電性部分３と端子ボックス９とを主要な部材としている。ここで、図７では、導電性部分３が導電パターンとなっており、非中間膜部は空間部となっている。また、図７において、表面に導電パターンが設けられているガラス１は熱処理強化ガラスである。
【００４１】
導電性部分３は、ガラス１の非中間膜部５に接する側のガラス表面に形成されているが、これは、防犯ガラスを破壊して内部の施錠を開放するような侵入行為が行われた場合に、導電性部分３が容易に破壊されるようにするためである。
図７中のＧおよびＩの位置の導電性部分３に接続部分７が設けられており、この接続部分７は、図８および９に示す通り、ガラス２に設けられた端子用穴８にまで伸びており、電流通電端子６と接続されている。
その他については、前述した図１で示される防犯ガラスの場合と同様であるので省略する。
【００４２】
図７で示される防犯ガラスの製造方法は、図１中のＡＢＣＦＥの形状の中間膜を貼り付けたガラス１、２に代えて、図７中のＡＢＣＦＥ形状の中間膜を貼り付けたガラス２および銀ペーストを用いて図７で示される導電パターンを形成したガラス１を用いること以外は、上記した図１で示される防犯ガラスの製造方法と同様である。
【００４３】
上記のようにして製造された防犯ガラスは、種々の用途に用いられ、そのまま防犯ガラスとして用いられてもよいし、複層ガラスの部材として用いられてもよい。本発明の防犯ガラスを複層ガラスに用いる場合には、複層ガラスの２枚以上のガラスのうち少なくとも１枚に本発明の防犯ガラスを採用し、それ以外は常法に従うことにより、前記の防犯ガラスを含む複層ガラスが製造される。
【００４４】
以下、実施例によりさらに具体的に説明する。
【実施例１】
【００４５】
図１は本発明の好適な実施例の一つであり、非中間膜部が空間部である本発明の防犯ガラスである。
【００４６】
外形寸法を幅７５５ｍｍ×高さ約１９５０ｍｍとした厚さ３ｍｍのソーダライム系フロート板ガラス１枚を用意し、これをガラス１とした。
また、フロートバス中におけるＣＶＤ成膜法（例えば、特開２００１−３５２７５の実施例１に記載の方法に準じた方法）により表面に酸化錫導電性薄膜を成膜して、導電性薄膜が形成された厚さ５ｍｍの導電性薄膜が形成されたフロート板ガラスを得た。この導電性薄膜が形成されたフロート板ガラスをガラス１の外形寸法と同じ外形寸法に切断し、その後絶縁部分１７を設けて、これをガラス２とした。
【００４７】
ガラス２には、サッシに組み付けた際に上辺近傍となる位置（図１中のＨの位置の二箇所）に直径約１０ｍｍの端子用穴８を形成し、この端子用穴８に破損防止のための面取処理を施した。さらに、ガラス２を風冷強化の方法により熱処理強化ガラスとした。
【００４８】
銀ペーストを用いて、ガラス２表面の導電性薄膜と端子用穴８に配置した銅製端子（純度９９．９９％、寸法Φ３ｍｍ×２０ｍｍの棒状形）とを接着した。
【００４９】
厚さ約１．５ｍｍ（６０ｍｉｌ）のポリビニルブチラール（ＰＶＢ）樹脂膜２枚をそれぞれ図１中のＡＢＣＦＥの形状に裁断して中間膜を２枚得た。図１に示すように、ガラス１および２にそれぞれ中間膜を積層し、積層物２つを中間膜が内側になるようにしてさらに積層し、この状態でオートクレーブに入れ込み、温度約１４０℃、圧力約１ＭＰａ（１０気圧）の条件で約１時間保持して合わせガラスとした。
【００５０】
当該合わせガラスの端子用穴の隙間にシリコーン樹脂（日本ペルノックス株式会社製、電気絶縁用低温硬化型液状シリコーン樹脂、商品名「ＣＢ−４６１」）を注入し、８０℃×２時間の条件にて硬化させた。
【００５１】
また、非中間膜部（図１中のＤＥＦ領域）の外部と接する部分（図２および３中の封着部１０参照）にシール材（東レ株式会社製、商品名「ＳＥ９６０」）を封着した。
【００５２】
以上の工程により本発明の防犯ガラスを得た。
【実施例２】
【００５３】
実施例１と同様に、ガラス１、及び銅製端子と表面の導電性薄膜とが接着されたガラス２を用意した。
【００５４】
厚さ約１．５ｍｍ（６０ｍｉｌ）のポリビニルブチラール（ＰＶＢ）樹脂膜を２枚用意し、そのうち１枚を、一部くりぬいた形状に裁断して、図１０に示すような中間膜とした。得られた図１０に示すような中間膜を、くりぬいた部分が検知部分に対応するように位置合わせをしてガラス２の表面に積層した。この積層物と、くりぬいていないＰＶＢ樹脂膜とガラス１とを積層した積層物とを、中間膜が内側になるようにして積層し、ついで実施例１と同様のオートクレーブ処理により合わせガラスとして、本発明の防犯ガラスを得た。なお、得られた防犯ガラスは、図１１や図１２のような構成となる。
【実施例３】
【００５５】
図４は本発明の好適な実施例の一つであり、非中間膜部が樹脂シートスペーサーである本発明の防犯ガラスである。
【００５６】
ガラス１、２を合わせガラスとする際において、非中間膜部５の位置にポリカーボネート樹脂からなる樹脂シートスペーサー１５を設置してガラス１、２および中間膜４を積層したこと以外は実施例１と同様にして、非中間膜部が樹脂シートスペーサーである本発明の防犯ガラスを得た。
【実施例４】
【００５７】
図７は本発明の好適な実施例の一つであり、導電部分が導電パターンである本発明の防犯ガラスである。
【００５８】
厚さ５ｍｍのワイヤレス防火ガラス（日本板硝子株式会社製、商品名「パイロクリア」）を外形寸法：幅７５５ｍｍｘ高さ約１９５０ｍｍとなるように切断し、これをガラス１とした。厚さ３ｍｍのソーダライム系フロート板ガラスをガラス１と同じ外形寸法となるように切断し、これをガラス２とした。ガラス２には、サッシに組み付けた際に上辺近傍となる位置（図７中のＪの位置の二箇所）に直径約１０ｍｍの端子用穴８を形成し、この端子用穴８に破損防止のための面取処理を施した。また、ガラス１を風冷強化の方法により熱処理強化ガラスとした。
【００５９】
銀ペーストを用いて、図７中のＧＨＩの導電パターンをガラス１表面に形成し、さらに銀ペーストを用いて、ガラス１表面の導電パターンと端子用穴８に配置した銅製端子（純度９９．９９％、寸法Φ３ｍｍ×２０ｍｍの棒状形）とを接着した。
【００６０】
図７に示すように、ガラス１および２にそれぞれ中間膜を積層し、積層物２つを中間膜が内側になるようにしてさらに積層し、この状態でオートクレーブに入れ込み、温度約１４０℃、圧力約１ＭＰａ（１０気圧）の条件で約１時間保持して合わせガラスとした。
【００６１】
当該合わせガラスの端子用穴の隙間にシリコーン樹脂（日本ペルノックス株式会社製、電気絶縁用低温硬化型液状シリコーン樹脂、商品名「ＣＢ−４６１」）を注入し、８０℃×２時間の条件にて硬化させた。
【００６２】
また、非中間膜部の外部と接する部分（封着部１０）にシール材（東レ株式会社製、商品名「ＳＥ９６０」）を封着した。
【００６３】
以上の工程により本発明の防犯ガラスを得た。
【００６４】
（比較例１）
比較例１として、二枚のガラスがともに熱処理強化ガラスでないソーダライム系フロート板ガラスであり、かつ非中間膜部を設けない以外は実施例１と同様にして防犯ガラスを得た。
【００６５】
（比較例２）
比較例２として、非中間膜部を設けない以外は実施例１と同様にして防犯ガラスを得た。
【００６６】
（試験例）
実施例１、実施例２、実施例３および実施例４ならびに比較例１および比較例２の防犯ガラスについて、ガラスの破壊を検出する機能を確認する目的で破壊試験を行った。破壊試験の方法は、先端が尖った鉄製の棒を用いてサッシ窓の施錠部分近傍を複数回突き、穿孔する方法によりガラスを破壊して、腕が入る程度の貫通穴を作るというものであった。
【００６７】
実施例１および実施例２の防犯ガラスでは、酸化錫薄膜が破断し、導通がない状態になることを確認した。実施例３の防犯ガラスでは、ガラス細片の脱落はほとんど生じなかったが、酸化錫薄膜が破断し、導通がない状態になることを確認した。実施例４の防犯ガラスでは、導電パターンが断線し、端子間の導通が完全に失われたことを確認した。
【００６８】
比較例１の防犯ガラスについては、導電性部分が形成されている箇所を破壊した場合には、破壊した部分を中心にひび割れを生じ、導電性部分が形成された領域にもクラックが及んだものの、導電性部分が破断するには至らなかった部分が生じた。この部分を直流抵抗値を測定したところ、導通が不安定になったものの完全な断線状態ではなかった。この結果から、導電性部分に貫通を生じない場合には、ガラスの破壊を明瞭に検出することができない可能性があることが確認された。
【００６９】
比較例２の防犯ガラスについては、導電性部分が形成されている箇所以外を破壊した場合でも熱処理強化ガラス板全体が破断することを確認したが、電流通電端子間の直流抵抗値を測定したところ、導通が不安定になったものの完全な断線状態ではなかった。この結果から、熱処理強化ガラスを用いた場合であっても、ガラスの破壊を明瞭に検出することができない可能性があることが確認された。
【００７０】
破壊試験の結果から、ガラスを破壊して室内に侵入するために必ず破壊しなければならない部分に検出手段を設けるか、あるいは検出手段を設けた部分も必ず破壊されるようにすれば、確実にガラスの破壊を検出できることがわかる。
【００７１】
また、環境試験の結果から、合わせガラスの内面側に破壊の検出手段を設ければ、環境の影響を受けにくく長期間安定に使用することが可能であると予測される。
【００７２】
すなわち、本発明の防犯ガラスによれば、確実で信頼性が高い防犯機能を有する防犯ガラスを実現できることが確認された。
【産業上の利用可能性】
【００７３】
本発明にかかる防犯ガラスは、家屋の窓や扉等の建築物の開口部に利用することができるほか、自動車その他の移動体の窓ガラスにも利用することができる。さらに、ガラスショーケース等の展示容器や保管庫のガラスにも利用することができる。
【図面の簡単な説明】
【００７４】
【図１】本発明の好ましい形態の一つを説明するための模式図であり、実施例１の防犯ガラスを説明するための模式図でもある。
【図２】図１におけるＸ−Ｘ断面を示す。
【図３】図１におけるＹ−Ｙ断面を示す。
【図４】本発明の好ましい形態の一つを説明するための模式図であり、実施例３の防犯ガラスを説明するための模式図でもある。
【図５】図４におけるＸ−Ｘ断面を示す。
【図６】図４におけるＹ−Ｙ断面を示す。
【図７】本発明の好ましい形態の一つを説明するための模式図であり、実施例４の防犯ガラスを説明するための仮想的分解図でもある。
【図８】図７におけるＸ−Ｘ断面を示す。
【図９】図７におけるＹ−Ｙ断面に示す。
【図１０】検知部分に対応する箇所をくりぬいた中間膜の形状を示す。
【図１１】図２に対応する実施例２を説明する図である。
【図１２】図３に対応する実施例３を説明する図である。
【符号の説明】
【００７５】
１  ガラス（室外側に使用されるべき側）
２  ガラス（室内側に使用されるべき側）
３  導電性部分
４  中間膜部
５  非中間膜部
６  電流通電端子
７  接続部分
８  端子用穴
９  端子ボックス
１０  封着部
１３  導電性薄膜
１５  樹脂シートスペーサー
１７  絶縁部分
１８  封着部（中間膜の一部）
１９  くりぬき部分
【図１０】
2006160598.tif 000003
【図１】
2006160598.tif 000004
【図２】
2006160598.tif 000005
【図３】
2006160598.tif 000006
【図４】
2006160598.tif 000007
【図５】
2006160598.tif 000008
【図６】
2006160598.tif 000009
【図７】
2006160598.tif 000010
【図８】
2006160598.tif 000011
【図９】
2006160598.tif 000012
【図１１】
2006160598.tif 000013
【図１２】
2006160598.tif 000014